(57)【要約】      （修正有）【課題】収納にも持ち歩きにも便利なチェスボードを提供する。【解決手段】チェスボードは、基板１を含み、基板１の前面には、つなぎ合わせて囲碁罫線を形成させる複数の囲碁ユニットが均一に分布し、基板１の背面には、つなぎ合わせてシャンチー罫線及びチェス罫線の両方を形成させる複数の格子ユニットが均一に分布し、基板１は４つの長方形板体をつなぎ合わせて田字状を形成させており、各長方形板体同士は取り外し可能な構造を介して接続される。基板１を形成させる長方形板体同士が取り外し可能な構造を構成するように接続されることで、チェスボードの使用空間が節約され、しかも持ち歩きやすい。【選択図】図１
0003233582.tif 000002
【実用新案登録請求の範囲】
【請求項１】
基板（１）を含み、前記基板（１）の前面には、つなぎ合わせて囲碁罫線を形成させる複数の囲碁ユニットが均一に分布し、前記基板（１）の背面には、つなぎ合わせてシャンチー罫線及びチェス罫線の両方を形成させる複数の格子ユニットが均一に分布し、前記基板（１）は４つの長方形板体（１１）をつなぎ合わせて田字状を形成させており、各長方形板体（１１）同士は取り外し可能な構造を介して接続されることを特徴とするチェスボード。
【請求項２】
第１接続板（３）と、第２接続板（４）とをさらに含み、４つの長方形板体（１１）が順次前後対応で取り囲んで四角枠体が形成される場合に、前記第１接続板（３）と前記第２接続板（４）とはそれぞれ四角枠体の２つの開口部に対応して覆設され且つ収容空間（７１）を有する箱体が形成され、前記第１接続板（３）の４辺及び前記第２接続板（４）の４辺はいずれも４つの長方形板体（１１）に取り外し可能な構造を構成するように接続されることを特徴とする請求項１に記載のチェスボード。
【請求項３】
前記取り外し可能な構造は磁石接続構造であり、前記長方形板体（１１）の四周の側面にいずれも第１磁石（２）が設けられ、前記第１接続板（３）と前記第２接続板（４）との対向する側面の四周にいずれも第２磁石（３２）が設けられ、チェスボードとして使用される場合に、隣り合う２つの長方形板体（１１）が第１磁石（２）を介して接続され、箱体が形成される場合に、四角枠体の２つの開口部の端面における第１磁石（２）は第１接続板（３）及び第２接続板（４）の第２磁石（３２）にそれぞれ接続されることを特徴とする請求項２に記載のチェスボード。
【請求項４】
前記第１接続板（３）の前記第２接続板（４）に近い側面と前記第２接続板（４）の前記第１接続板（３）に近い側面とにはいずれも前記四角枠体の開口を有する端部を嵌める方形環状溝が開設され、前記第２磁石（３２）は前記方形環状溝の底部に設けられることを特徴とする請求項３に記載のチェスボード。
【請求項５】
前記第１接続板（３）の前記第２接続板（４）に近い側面と前記第２接続板（４）の前記第１接続板（３）に近い側面とにはいずれも前記四角枠体の開口を有する端部を嵌める段付き溝（３３）が開設され、前記第２磁石（３２）は前記段付き溝（３３）の階段面に設けられることを特徴とする請求項３に記載のチェスボード。
【請求項６】
前記取り外し可能な構造はスライド溝（１３）と、前記スライド溝（１３）内に摺動可能に設けられたスライダー（１２）とを含み、各前記長方形板体（１１）の隣り合う両側の側面には少なくとも１つの前記スライダー（１２）が設けられ、他の隣り合う両側の側面に前記スライド溝（１３）が開設され、前記第１接続板（３）の前記第２接続板（４）に近い側面の四周に前記スライダー（１２）が設けられ、前記第２接続板（４）の前記第１接続板（３）に近い側面の四周に前記スライド溝（１３）が開設されることを特徴とする請求項２に記載のチェスボード。
【請求項７】
前記取り外し可能な構造は互いに組み合わせて係合する係合突起（１４）と係合凹溝（１５）とを含み、前記係合突起（１４）は前記長方形板体（１１）の四周の側面において間隔をあけて複数設けられ、隣り合う２つの係合突起（１４）の間に前記係合凹溝（１５）が形成され、前記第１接続板（３）と前記第２接続板（４）との対向する側面の四周にいずれも係合突起（１４）が突設されることを特徴とする請求項２に記載のチェスボード。
【請求項８】
前記第１接続板（３）と前記第２接続板（４）との間に支持具が設けられることを特徴とする請求項２に記載のチェスボード。
【請求項９】
前記支持具は複数の支持柱（５）を含み、前記第１接続板（３）の前記第２接続板（４）に近い側面には前記支持柱（５）を嵌める複数の取付け穴が開設され、前記第２接続板（４）の前記第１接続板（３）に近い側面には前記支持柱（５）を嵌める複数の取付け穴が開設され、前記第１接続板（３）の取付け穴と前記第２接続板（４）の取付け穴とは一対一で対応することを特徴とする請求項８に記載のチェスボード。
【請求項１０】
前記支持具は前記第１接続板（３）に設けられた複数の支持板（６１）を含み、複数の前記支持板（６１）が互いに接続されて収容空間（７１）を備える第１環状止め板（７）が形成されることを特徴とする請求項８に記載のチェスボード。
【請求項１１】
前記第１環状止め板（７）は収容空間（７１）内に複数の仕切り板（９）が設けられ、前記収容空間（７１）は複数の前記仕切り板（９）によって複数の駒収容空間（７２）に分けられることを特徴とする請求項１０に記載のチェスボード。
【請求項１２】
前記支持具はさらに、前記第２接続板（４）に設けられた複数の制限板（６２）を含み、複数の前記制限板（６２）が互いに接続されて空洞部を備える第２環状止め板（８）が形成され、前記第２環状止め板（８）の空洞部はガイド溝（８１）であり、前記第１環状止め板（７）は前記ガイド溝（８１）内に穿設されることを特徴とする請求項１１に記載のチェスボード。
【考案の詳細な説明】
【技術分野】
【０００１】
本考案は、チェスボード分野に関し、特に、チェスボードに関する。
【背景技術】
【０００２】
チェスゲームには様々な種類があり、種類によってやり方が違い、好きな種類も人それぞれである。しかし、従来のチェスボードは一般に１種の駒だけに対応し、同じチェスボードには異なる種類の駒を共用することができず、現在世界中に流行っているのは中国シャンチー、囲碁、チェスなどであり、チェスゲーム愛好者の中で複数のチェスゲームを好む人が少なからずおり、そのためにいつも駒とチェスボードのセットを複数用意していることが必要で、持ち歩きにも収納にも不便である。
【０００３】
特許文献１は、チェスボードを開示し、当該チェスボードは主に底板を含み、底板の両端にはそれぞれ上板が可動的に接続され、２つの上板はサイズが等しく、水平に組み合わせると底板と形状、大小が同じで、上板及び底板の上面にそれぞれ異なる種類のチェスボード模様が描かれており、底板及び上板の内部に中間層が設けられ、中間層の側面に開口が設けられ、開口部に可動蓋が取り付けられ、中間層内に駒が保管される。使用時は、使用者が上板を開いて、底板表面のチェスボードにおいてチェスゲームをやることができ、あるいは上板を合わせて、上板表面のチェスボードにおいてチェスゲームをやることもできる。
【０００４】
前記技術的解決手段では、ヒンジ接続によって上板と底板とを重ねることによって、チェスボードの使用空間が節約される。当該構成について、本考案は同様の構成を実現するために別の技術的解決手段を提供している。
【先行技術文献】
【特許文献】
【０００５】
【特許文献１】中国特許公開第ＣＮ１０２４１６２５５Ａ号
【考案の概要】
【考案が解決しようとする課題】
【０００６】
本考案の目的はチェスボードを提供することであり、収納にも持ち歩きにも便利であるという効果がある。
【課題を解決するための手段】
【０００７】
本考案の目的は下記の技術的解決手段によって達成される。
チェスボードであって、基板を含み、前記基板の前面には、つなぎ合わせて囲碁罫線を形成させる複数の囲碁ユニットが均一に分布し、前記基板の背面には、つなぎ合わせてシャンチー罫線及びチェス罫線の両方を形成させる複数の格子ユニットが均一に分布し、前記基板は４つの長方形板体をつなぎ合わせて田字状を形成させており、各長方形板体同士は取り外し可能な構造を介して接続される。
【０００８】
前記技術的解決手段を用いると、４つの長方形板体をつなぎ合わせて基板が形成される場合に、基板の前面に標準的な囲碁罫線が形成され、基板の背面に標準的なシャンチー罫線及び標準的なチェス罫線の両方が形成されるため、同じ基板を碁盤、シャンチー盤又はチェス盤として使用することができ、チェスボードを使用しない時は、基板を４つの長方形板体に分解して、４つの長方形板体を重ねて保管できるため、チェスボードの収納のための使用空間が節約され、しかも持ち歩やすい。
【０００９】
さらに本考案では、前記チェスボードはさらに、第１接続板と、第２接続板とを含み、４つの長方形板体が順次前後対応で取り囲んで四角枠体が形成される場合に、前記第１接続板と前記第２接続板とはそれぞれ四角枠体の２つの開口部に対応して覆設され且つ収容空間を有する箱体が形成され、前記第１接続板の４辺及び前記第２接続板の４辺はいずれも４つの長方形板体に取り外し可能な構造を構成するように接続される。
【００１０】
前記技術的解決手段を用いると、チェスボードを使用しない時は、基板を４つの長方形板体に分解して、４つの長方形板体をいずれも第１接続板及び第２接続板に接続させて箱体を形成させると、箱体の収容空間に駒を収納することができ、チェスボードの保管及び輸送に役立ち、チェスボードの使用空間が節約される。
【００１１】
さらに本考案では、前記取り外し可能な構造は磁石接続構造であり、前記長方形板体の四周の側面にいずれも第１磁石が設けられ、前記第１接続板と前記第２接続板との対向する側面の四周にいずれも第２磁石が設けられ、チェスボードとして使用される場合に、隣り合う２つの長方形板体が第１磁石を介して接続され、箱体が形成される場合に、四角枠体の２つの開口部の端面における第１磁石はそれぞれ第１接続板及び第２接続板の第２磁石に接続される。
【００１２】
前記技術的解決手段を用いると、基板として使用される場合に、４つの長方形板体は第１磁石を介して互いに接続されて基板が形成され、且つ隣り合う２つの長方形板体の第１磁石が互いに吸引し合うことで、長方形板体によって形成された基板はより堅牢である。箱体が形成される場合に、４つの長方形板体の首尾が第１磁石を介して接続されて四角枠体が形成され、次に四角枠体の一方の開口部の端面が第１接続板の第２磁石に接続され、さらに第２接続板が四角枠体の他方の開口部の端面に覆設され、且つ第２接続板の第２磁石が四角枠体の第１磁石に接続される。第１磁石と第２磁石とが接続されることで、第１接続板及び第２接続板に接続された長方形板体はより堅牢である。
【００１３】
さらに本考案では、前記第１接続板の前記第２接続板に近い側面と前記第２接続板の前記第１接続板に近い側面とにはいずれも前記四角枠体の開口を有する端部を嵌める方形環状溝が開設され、前記第２磁石は前記方形環状溝の底部に設けられる。
【００１４】
前記技術的解決手段を用いると、まず４つの長方形板体の首尾が突き合わされて四角枠体が形成され、次に四角枠体の一方の開口部の端部が第１接続板の方形環状溝に対応して嵌められ、且つ四角枠体の開口部の第１磁石と第１接続板の方形環状溝内に位置する第２磁石とが互いに吸引し合って接続され、さらに第２接続板が四角枠体の他方の開口部の端部に覆設され、且つ第２接続板の方形環状溝が四角枠体の他方の開口部の端部に対応して嵌まり、四角枠体の他方の開口部の第１磁石と第２接続板の磁石とが接続される。方形環状溝による制限で、箱体が形成される場合に、四角枠体と第１接続板及び第２接続板とがより安定的に接続される。
【００１５】
さらに本考案では、前記第１接続板の前記第２接続板に近い側面と前記第２接続板の前記第１接続板に近い側面とにはいずれも前記四角枠体の開口を有する端部を嵌める段付き溝が開設され、前記第２磁石は前記段付き溝の階段面に設けられる。
【００１６】
前記技術的解決手段を用いると、長方形板体が第１接続板と第２接続板とにそれぞれ接続される場合に、まず４つの長方形板体の首尾が第１磁石を介して接続され、次に四角枠体の２つの開口部の端面がそれぞれ第１接続板の段付き溝及び第２接続板の段付き溝に嵌められ、且つ四角枠体の開口部の端面における第１磁石が段付き溝内の第２磁石に接続される。
【００１７】
さらに本考案では、前記取り外し可能な構造はスライド溝と、前記スライド溝内に摺動可能に設けられたスライダーとを含み、各前記長方形板体の隣り合う両側の側面には少なくとも１つの前記スライダーが設けられ、他の隣り合う両側の側面に前記スライド溝が開設され、前記第１接続板の前記第２接続板に近い側面の四周に前記スライダーが設けられ、前記第２接続板の前記第１接続板に近い側面の四周に前記スライド溝が開設される。
【００１８】
前記技術的解決手段を用いると、チェスボードとして使用される場合に、４つの長方形板体がスライダーとスライド溝との係合で互いに接続されて田字状の基板が形成される。箱体が形成される場合に、長方形板体におけるスライダーが摺動されて第２接続板におけるスライド溝に接続され、第１接続板におけるスライダーが摺動されて第２接続板におけるスライド溝に接続され、スライダーとスライド溝との係合により、第１接続板と第２接続板との間に位置する長方形板体はより堅牢である。
【００１９】
さらに本考案では、前記取り外し可能な構造は互いに組み合わせて係合する係合突起と係合凹溝とを含み、前記係合突起は前記長方形板体の四周の側面において間隔をあけて複数設けられ、隣り合う２つの係合突起の間に前記係合凹溝が形成され、前記第１接続板と前記第２接続板との対向する側面の四周にいずれも係合突起が突設される。
【００２０】
前記技術的解決手段を用いると、チェスボードとして使用される場合に、４つの長方形板体がつなぎ合わされて田字状の基板が形成され、隣り合う２つの長方形板体における係合突起と係合凹溝との係合により、隣り合う２つの長方形板体はより堅牢に接続される。箱体が形成される場合に、長方形板体の１組の対向する側面における係合突起がそれぞれ第１接続板の係合凹溝及び第２接続板の係合凹溝内に嵌められ、係合突起と係合凹溝との係合により、第１接続板と第２接続板との間に位置する長方形板体はより堅牢である。
【００２１】
さらに本考案では、前記第１接続板と前記第２接続板との間に支持具が設けられる。
【００２２】
前記技術的解決手段を用いると、支持具の支持作用で、第１接続板と第２接続板との距離が一定であり、第１接続板と第２接続板との間の長方形板体はより堅牢である。
【００２３】
さらに本考案では、前記支持具は複数の支持柱を含み、前記第１接続板の前記第２接続板に近い側面には前記支持柱を嵌める複数の取付け穴が開設され、前記第２接続板の前記第１接続板に近い側面には前記支持柱を嵌める複数の取付け穴が開設され、前記第１接続板の取付け穴と前記第２接続板の取付け穴とは一対一で対応する。
【００２４】
前記技術的解決手段を用いると、箱体が形成される場合に、第１接続板と第２接続板とが対向して設けられ、支持柱の両端がそれぞれ第１接続板の取付け穴及び第２接続板の取付け穴内に嵌められることにより、第１接続板と第２接続板との間の支持柱はより安定的である。
【００２５】
さらに本考案では、前記支持具は前記第１接続板に設けられた複数の支持板を含み、複数の前記支持板が互いに接続されて収容空間を備える第１環状止め板が形成される。
【００２６】
前記技術的解決手段を用いると、前記箱体内の収容空間に駒などの物品を収容することができ、使用者は物品を保管しやすく、しかも複数の支持板が接続されて第１環状止め板が形成されると全体的構造強度が高くなるため、第１環状止め板はより大きな圧力に耐えられる。
【００２７】
さらに本考案では、前記第１環状止め板は収容空間内に複数の仕切り板が設けられ、前記収容空間は複数の前記仕切り板によって複数の駒収容空間に分けられる。
【００２８】
前記技術的解決手段を用いると、複数の駒収容空間にはそれぞれ異なる駒を保管することができ、使用者は異なる駒を見分けて使用することができる。
【００２９】
さらに本考案では、前記支持具はさらに、前記第２接続板に設けられた複数の制限板を含み、複数の前記制限板が互いに接続されて空洞部を備える第２環状止め板が形成され、前記第２環状止め板の空洞部はガイド溝であり、前記第１環状止め板は前記ガイド溝内に穿設される。
【００３０】
前記技術的解決手段を用いると、箱体が形成される場合に、第１環状止め板が第２環状止め板のガイド溝内に穿設され、第２環状止め板による限定で、第１接続板と第２接続板とがより安定的に接続され、また第１接続板及び第２接続板が第１接続板の水平方向に沿って移動するよう限定される。
【考案の効果】
【００３１】
上記から分かるように、本考案は以下の有益な技術的効果を有する。
１．基板は４つの長方形板体を取り外し可能に接続させたもので、チェスボードの使用空間が節約され、しかも持ち歩きやすい。
２．第１接続板と第２接続板との間に支持具が設けられ、支持具の支持で、箱体が形成される場合に、第１接続板及び第２接続板がより安定的である。
３．箱体が形成される場合に、第１接続板の第１環状止め板が第２接続板の第２環状止め板内に穿設されることで、第１接続板と第２接続板とがより安定的に接続される。
【図面の簡単な説明】
【００３２】
【図１】実施例１に係る基板の背面の概略図である。
【図２】実施例１に係る基板の前面の概略図である。
【図３】実施例１に係る４つの長方形板体が基板を形成することの概略図である。
【図４】実施例１に係る基板の構造概略図である。
【図５】実施例１に係る第２方形磁石環と第１接続板の分解図である。
【図６】実施例１に係る長方形板体が第１接続板と第２接続板との間に位置する構造の概略図である。
【図７】実施例１に係る支持柱が第１接続板と第２接続板との間に位置する構造の概略図である。
【図８】実施例２に係る長方形板体が第１接続板と第２接続板との間に位置することの断面図である。
【図９】実施例３に係る支持柱が第１接続板と第２接続板との間に位置する構造の概略図である。
【図１０】実施例４に係る第１環状止め板と第２環状止め板の分解図である。
【図１１】実施例４に係る第１環状止め板と第２環状止め板の別の角度のからの分解図である。
【図１２】実施例４に係る第１環状止め板の蓋板を開いた構造の概略図である。
【図１３】実施例５に係る長方形板体の構造概略図である。
【図１４】実施例５に係る長方形板体をつなぎ合わせて形成させた基板の構造概略図である。
【図１５】実施例６に係る長方形板体が第１接続板と第２接続板との間に位置する構造の概略図である。
【図１６】実施例６に係る支持柱の構造概略図である。
【図１７】実施例７に係る長方形板体の構造概略図である。
【図１８】実施例７に係る長方形板体が第１接続板と第２接続板との間に位置する構造の概略図である。
【考案を実施するための形態】
【００３３】
次に図面と結び付けて本考案を詳細に説明する。
【００３４】
（実施例１）
図１及び図２が参照されるとおり、チェスボードであって、基板１を含み、基板１の前面にはつなぎ合わせて囲碁罫線を形成させる囲碁ユニットが均一に分布し、囲碁罫線は１８×１８の格子アレイによって構成され、基板１の背面にはつなぎ合わせて中国シャンチー罫線及びチェス罫線の両方を形成させる８×１０アレイの格子ユニットが均一に分布し、基板１の背面が中国シャンチー用である場合に、横方向の５行目と６行目とが組み合わさって「楚河漢界」境目が形成され、基板１の背面がチェス用である場合に、横方向では２行目から９行目が、縦方向では１列目から８列目が使用される。囲碁ユニット及び格子ユニットは基板１に印刻されてもよいし、基板１に印刷されてもよいし、囲碁ユニット又は格子ユニットを有するフィルムが基板１に覆設されてもよい。
【００３５】
基板１は４つの長方形板体１１をつなぎ合わせて田字状を形成させており、各長方形板体１１同士は取り外し可能な構造を介して接続される。長方形板体１１の前面には９×９の格子アレイによって形成された４分の１の囲碁罫線があり、長方形板体１１の背面には４×５の格子アレイによって形成された４分の１の中国シャンチー罫線及びチェス罫線がある。
【００３６】
図３及び図４が参照されるとおり、チェスボードはさらに、第１接続板３と第２接続板４とを含み、第１接続板３、第２接続板４はいずれも方形の板であり、４つの長方形板体１１が順次前後対応で取り囲んで四角枠体が形成される場合に、第１接続板３と第２接続板４とはそれぞれ四角枠体の２つの開口部に対応して覆設され且つ箱体が形成され、第１接続板３の４辺及び第２接続板４の４辺はいずれも４つの長方形板体１１に取り外し可能な構造を構成するように接続される。
【００３７】
取り外し可能な構造は磁石接続構造であり、長方形板体１１の四周の側面にいずれも第１磁石２が設けられ、第１磁石２は接着剤によって長方形板体１１に固定して接続され、且つ隣り合う２つの第１磁石２の端部が互いに当接して一体的に設置されることで、長方形板体１１の四周の側面に位置する第１磁石２によって第１方形磁石環２１が形成される。４つの長方形板体１１をつなぎ合わせて基板１が形成される場合に、隣り合う２つの長方形板の第１磁石２が互いに吸引し合う。
【００３８】
図５及び図６が参照されるとおり、第１接続板３の第２接続板４に近い側面の四周と第２接続板４の第１接続板３に近い側面の四周とにはいずれも四角枠体の開口を有する端部を嵌める方形環状溝３１が開設され、方形環状溝３１の底部に第２磁石３２が設けられ、且つ隣り合う２つの第１磁石２の端部が互いに当接して一体的に設置されることで、方形環状溝３１の底部に位置する第２磁石３２によって第２方形磁石環３２１が形成される。
【００３９】
箱体が形成される場合に、まず長方形板体１１の首尾が第１磁石２を介して接続されて四角枠体が形成され、次に四角枠体の２つの開口部の端面がそれぞれ第１接続板３の方形環状溝３１及び第２接続板４の方形環状溝３１内に嵌められ、四角枠体の開口部の端面における第１磁石２と方形環状溝３１の底部の第２磁石３２とが接続されることで、第１接続板３と第２接続板４との間の四角枠体はより安定的である。
【００４０】
図７が参照されるとおり、第１接続板３と第２接続板４との間に支持具が設けられ、支持具は複数の支持柱５を含み、第１接続板３の第２接続板４に近い側面には支持柱５を嵌める複数の取付け穴が開設され（不図示）、第２接続板４の第１接続板３に近い側面には支持柱５を嵌める複数の取付け穴が開設され、第１接続板３の取付け穴と第２接続板４の取付け穴とは一対一で対応し、本実施例で支持柱５は４つ設けられ、且ついずれも第１接続板３の中間位置に位置する。
【００４１】
本実施例の動作原理は以下のとおりである。チェスボードとして使用される場合に、４つの長方形板体１１同士が第１磁石２を介して接続されて田字状のチェスボードが形成される。チェスボードを使用しない時は、四角枠体がそれぞれ第１接続板３及び第２接続板４の方形環状溝３１内に嵌められることで、チェスボードが箱体に変わり、使用空間が節約され、しかも持ち歩きやすい。
【００４２】
（実施例２）
本実施例と実施例１との違いは第１接続板３及び第２接続板４の違いだけである。
【００４３】
図８が参照されるとおり、第１接続板３の第２接続板４に近い側面と第２接続板４の第１接続板３に近い側面とにはいずれも四角枠体の開口を有する端部を嵌める段付き溝３３が開設され、第２磁石３２は段付き溝３３の階段面に設けられる。
【００４４】
箱体が形成される場合に、４つの長方形板体１１によって形成された四角枠体の２つの開口部の端面がそれぞれ第１接続板３の段付き溝３３及び第２接続板４の段付き溝３３に嵌められ、且つ第１接続板３の四周の側面及び第２接続板４の四周の側面はいずれも四角枠体の外側壁と面一で、箱体全体の美観性が向上している。
【００４５】
また、４つの長方形板体１１が１つずつ第１接続板３の段付き溝３３及び第２接続板４の段付き溝３３に嵌められてもよく、まず第１接続板３と第２接続板４とが支持柱５を介して接続され、次に長方形板体１１が第１接続板３及び第２接続板４の側面から第１接続板３に垂直の方向で段付き溝３３内に嵌められ、長方形板体１１と第１接続板３、長方形板体１１と第２接続板４がより接続しやすくなる。
【００４６】
（実施例３）
本実施例と実施例１との違いは支持柱５の位置の違いだけである。
【００４７】
図９が参照されるとおり、支持具は第１接続板３の四隅に位置する４つの支持柱５を含み、箱体が形成される場合に、支持柱５が隣り合う２つの長方形板体１１の２つの第１磁石２の間に位置し、隣り合う２つの長方形板体１１の隙間が埋まり、全体的に美観性が向上している。しかも支持柱５が磁性材料で製造され、第１磁石２と支持柱５との吸引で、第１接続板３と第２接続板４との間の長方形板体１１はより安定的である。
【００４８】
（実施例４）
本実施例と実施例１との違いは支持具の違いだけである。
【００４９】
図１０及び図１１が参照されるとおり、支持具は第１接続板３に垂直に接続された４つの支持板６１と、第２接続板４に垂直に接続された４つの制限板６２とを含み、４つの支持板６１は第１接続板３の中間位置に位置し、且つ４つの支持板６１が互いに接続されて収容空間７１を備える第１環状止め板７が形成され、第１環状止め板７直方体であり、第１環状止め板７の第１接続板３から遠い一端は収容空間７１を連通させる開口を有し、第１環状止め板７は接着剤又はねじによって第１接続板３に固定して接続される。
【００５０】
４つの制限板６２が互いに接続されて空洞部を備える第２環状止め板８が形成され、第２環状止め板８の形状は第１環状止め板７の形状と同じで、第２環状止め板８の内部の空洞部はガイド溝８１であり、且つ平行に設けられた２つの制限板６２間の距離が平行に設けられた２つの支持板６１間の距離より大きいため、第１環状止め板７はガイド溝８１内に穿設される。
【００５１】
箱体が形成される場合に、第２接続板４の第２環状止め板８が第１接続板３の第１環状止め板７内に穿設されて、ある程度位置決めの効果を果たし、第１接続板３が第２接続板４に接続される時にずれることが避けられる。
【００５２】
図１２が参照されるとおり、第１環状止め板７は収容空間７１内に２つの仕切り板９が設けられ、２つの仕切り板９が互いに垂直で十字が形成され、仕切り板９の両端がそれぞれ接着剤又はねじによって収容空間７１の壁部に接続されることで、収容空間７１は２つの仕切り板９によって４つの駒収容空間７２に分けられ、駒収容空間７２に駒などの物品を収容することができる。
【００５３】
第１環状止め板７の上方には開口に覆設される蓋板６３が設けられ、蓋板６３は第１環状止め板７に摺動可能に接続される。第１環状止め板７の１組の対向する内側壁にそれぞれ摺動溝６１１が開設され、第１環状止め板７における一方の支持板６１には２つの摺動溝６１１のいずれにも連通する貫通溝６１２が開設され、蓋板６３は摺動可能に貫通溝６１２及び２つの摺動溝６１１内に穿設される。蓋板６３が使用される場合に、蓋板６３が貫通溝６１２及び２つの摺動溝６１１内に穿設され、且つ蓋板６３の貫通溝６１２から遠い側面は第１環状止め板７における貫通溝６１２から遠い支持板６１に当接し、蓋板６３の貫通溝６１２に近い側面は貫通溝６１２が設けられた支持板６１における環状止め板の中心から遠い側面と面一で、且つ蓋板６３が仕切り板９の上方に位置し、蓋板６３は開口に覆設される。
【００５４】
（実施例５）
本実施例と実施例１との違いは取り外し可能な構造の違いだけである。
【００５５】
図１３が参照されるとおり、取り外し可能な構造はスライド溝１３と、スライド溝１３内に摺動可能に設けられたスライダー１２とを含み、各長方形板体１１の隣り合う両側の側面には少なくとも１つのスライダー１２が設けられ、他の隣り合う両側の側面にスライド溝１３が開設され、本実施例でスライダー１２は１つ設けられ且つ長尺状である。チェスボードとして使用される場合に、隣り合う２つの長方形板体１１がスライダー１２とスライド溝１３との係合で接続され、４つの長方形板体１１をつなぎ合わせてチェスボードを得る。また、スライダー１２は一般的な長方形のスライダー１２であってもよいし、アリ溝状のスライダー１２であってもよいし、Ｔ字状のスライダー１２などであってもよく、本実施例で長方形のスライダー１２が好ましい。
【００５６】
図１４が参照されるとおり、第１接続板３の第２接続板４に近い側面の四周には長方形板体１１と同じようにスライダー１２が設けられ、第２接続板４の第１接続板３に近い側面の四周には長方形板体１１と同じようにスライド溝１３が開設される。箱体が形成される場合に、まず第１接続板３と第２接続板４とが支持具によって支持され、次に長方形板体１１が１つずつ第１接続板３と第２接続板４との間に滑り込まれ、長方形板体１１のスライダー１２が第２接続板４のスライド溝１３に滑り込まれると同時に第１接続板３のスライダー１２が長方形板体１１のスライド溝１３に滑り込まれる。
【００５７】
（実施例６）
本実施例と実施例５との違いは支持柱５だけにある。
【００５８】
図１５及び図１６が参照されるとおり、第１接続板３の第２接続板４に近い側面には４つの支持柱５が突設され、４つの支持柱５はそれぞれ第１接続板３の四隅に位置し、且つ４つの支持柱５がいずれもねじによって第１接続板３に固定して接続される。
【００５９】
箱体が形成される場合に、長方形板体１１が隣り合う２つの支持柱５の間に嵌められる。支持柱５のそれに隣り合う支持柱５に近い側面にはスライダー１２又はスライド溝１３が設けられ、支持柱５上のスライダー１２又はスライド溝１３はいずれも支持柱５の第１接続板３から遠い側面に貫通し、且つ支持柱５のスライダー１２の構造はいずれも長方形板体１１のスライダー１２の構造と同じ又は類似し、支持柱５のスライド溝１３の構造はいずれも長方形板体１１のスライド溝１３の構造と同じ又は類似する。
【００６０】
第１接続板３では隣り合う２つの支持柱５の間の領域にいずれもスライド溝１３が開設され、第１接続板３のスライド溝１３の構造はいずれも長方形板体１１のスライド溝１３の構造と同じ又は類似し、スライド溝１３の一端は支持柱５のスライド溝１３に連通し、スライド溝１３の他端は別の支持柱５のスライダー１２に貫通する。
【００６１】
第２接続板４の第１接続板３に近い側面には支持柱５を嵌める４つの取付け穴が開設され（不図示）、第２接続板４では隣り合う２つの取付け穴の間の領域にいずれもスライダー１２が突設され、第２接続板４のスライダー１２の構造はいずれも長方形板体１１のスライダー１２の構造と同じ又は類似する。
【００６２】
本実施例の動作原理は以下のとおりである。チェスボードとして使用される場合に、隣り合う２つの長方形板体１１がスライダー１２とスライド溝１３との係合によって接続され、４つの長方形板体１１をつなぎ合わせてチェスボードを得る。箱体が形成される場合に、４つの長方形板体１１が１つずつ隣り合う２つの支持柱５の間に嵌められ、長方形板体１１のスライダー１２が支持柱５のスライド溝１３内に嵌められ、長方形板体１１のスライド溝１３には支持柱５のスライダー１２を嵌め、長方形板体１１が第１接続板３に当接すると、長方形板体１１のスライダー１２が第１接続板３のスライド溝１３内に嵌められ、次に第２接続板４が４つの長方形板体１１に覆設され、４つの支持柱５がそれぞれ第２接続板４の４つの取付け穴内に嵌められ、第２接続板４の４つのスライダー１２がそれぞれ４つの長方形板のスライド溝１３内に嵌められる。
【００６３】
（実施例７）
本実施例と実施例１との違いは取り外し可能な構造の違いだけである。
【００６４】
図１７及び図１８が参照されるとおり、取り外し可能な構造は互いに組み合わせて係合する係合突起１４と係合凹溝１５とを含み、係合突起１４は長方形板体１１の四周の側面に設けられ、且つ各側面ではいずれも間隔をあけて複数が設けられ、隣り合う２つの係合突起１４の間に前記係合凹溝１５が形成される。チェスボードとして使用される場合に、隣り合う２つの長方形板体１１の間の係合突起１４が係合凹溝１５内に嵌められる。
【００６５】
第１接続板３と第２接続板４との対向する側面の四周にはいずれも長方形板体１１と同じように係合突起１４が突設され、箱体が形成される場合に、まず第１接続板３と第２接続板４とが支持具によって支持され、次に長方形板体１１が１つずつ第１接続板３、長方形板体１１そして第２接続板４に接続される。長方形板体１１が第１接続板３、長方形板体１１そして第２接続板４に接続される場合に、長方形板体１１の１組の対向する側面の係合突起１４がそれぞれ第１接続板３の係合凹溝１５及び第２接続板４の係合凹溝１５内に嵌められ、また隣り合う２つの長方形板体１１が互いに垂直で且つ係合突起１４と係合凹溝１５との接続で、長方形板体１１の首尾が接続されて四角枠体が形成される。
【００６６】
上記の具体的な実施形態による実施例はいずれも本考案の好ましい実施例であり、本考案の保護範囲がこれに限定されない。したがって、本考案の構造、形状、原理について行われる同等な変形が、いずれも本考案の保護範囲に含まれる。
【符号の説明】
【００６７】
１...基板、１１...長方形板体、１２...スライダー、１３...スライド溝、１４...係合突起、１５...係合凹溝、２...第１磁石、２１...第１方形磁石環、３...第１接続板、３１...方形環状溝、３２...第２磁石、３２１...第２方形磁石環、３３...段付き溝、４...第２接続板、５...支持柱、６１...支持板、６１１...摺動溝、６１２...貫通溝、６２...制限板、６３...蓋板、７...第１環状止め板、７１...収容空間、７２...駒収容空間、８...第２環状止め板、８１...ガイド溝、９...仕切り板。
【図１】
0003233582.tif 000003
【図２】
0003233582.tif 000004
【図３】
0003233582.tif 000005
【図４】
0003233582.tif 000006
【図５】
0003233582.tif 000007
【図６】
0003233582.tif 000008
【図７】
0003233582.tif 000009
【図８】
0003233582.tif 000010
【図９】
0003233582.tif 000011
【図１０】
0003233582.tif 000012
【図１１】
0003233582.tif 000013
【図１２】
0003233582.tif 000014
【図１３】
0003233582.tif 000015
【図１４】
0003233582.tif 000016
【図１５】
0003233582.tif 000017
【図１６】
0003233582.tif 000018
【図１７】
0003233582.tif 000019
【図１８】
0003233582.tif 000020